(57)【要約】【課題】ハンガーのフック部に、物干ポールに対しての係着と、物干ロープに対しての係着とが、随時、所望に選択して行える係止手段を装備せしめる。【解決手段】ハンガーＡのフック部１の上周縁部の左右の中間部位に、外周側に突出する縊れ部１０を形設し、フック部１の内周側には、フック部１により囲い込まれる内周側の空間を左右に仕切る上下方向のアーム２を、弾性を具備する素材により成形して配位して、そのアーム２の上端側を正面視において、フック部１に設けた縊れ部１０の内周側の空間と略ラップする位置に臨ませ、上下の中間部位には、湾曲部ｗを形成し、その湾曲部ｗの内周面とフック部１の内周面との間隔寸法を、物干ポールＰの外径寸法より狭くし、アーム２の先端部と縊れ部１０の内周面ｙとの間隔寸法を物干ロープＲの外径寸法より狭くなるように設定して、アーム２の下端側をフック部１に固定連結する。【選択図】　　　　図１１
2004113589.tif 000002
【特許請求の範囲】
【請求項１】
ハンガー（Ａ）の主体部（ａ）の頂部から立ち上がるフック部（１）の上周縁部の左右の中間部位に、そのフック部（１）の内周面に連続して外周側に突出するよう縊れ込む縊れ部（１０）を形設し、フック部（１）の内周側には、正面視において、そのフック部（１）により囲い込まれる内周側の空間を左右に仕切る上下方向の線状乃至杆状のアーム（２）を、弾性を具備する素材により成形して配位して、そのアーム（２）の上端側を正面視において、フック部（１）に設けた縊れ部（１０）の内周側の空間と略ラップする位置に臨ませ、かつ、そのアーム（２）の上下の中間部位には、通常の物干ポール（Ｐ）の外周面に対応する弧状の湾曲部（ｗ）を形成し、その湾曲部（ｗ）の内周面とフック部（１）の内周面との間隔寸法が、常態において通常の物干ポール（Ｐ）の外径寸法よりも少し狭くなり、アーム（２）の先端部と縊れ部（１０）の内周面（ｙ）との間隔寸法が常態において通常の物干ロープ（Ｒ）の外径寸法よりも少し狭くなるように設定して、アーム（２）の下端側をフック部（１）に固定連結することを特徴とする物干ポールおよび物干紐との係止装置付きの物干用のハンガー。
【請求項２】
ハンガー（Ａ）のフック部（１）を、弾性を具備する樹脂材により成形し、アーム（２）を、そのフック部（１）を成形する樹脂材により一体に連続させて成形することを特徴とする請求項１記載の物干ポールおよび物干紐との係止装置付きの物干用のハンガー。
【請求項３】
ハンガー（Ａ）のフック部（１）を、弾性を具備する金属材の線材の屈曲成形により成形し、その線材のフック部（１）の遊端側（１ａ）の端部を延長し、遊端部（１ａ）から上方に折り返すよう屈曲せしめてアーム（２）を成形することを特徴とする請求項１記載の物干ポールおよび物干紐との係止装置付きの物干用のハンガー。
【請求項４】
アーム（２）の上端側を、フック部（１）の上周縁側に上方に突出するよう形設した縊れ部（１０）を跨ぐループ状に形成することを特徴とする請求項１または請求項２または請求項３に記載の物干ポールおよび物干紐との係止装置付きの物干用のハンガー。
【発明の詳細な説明】
【０００１】
【発明が属する技術分野】
本発明は、洗濯した衣服類を懸架したハンガーを、物干場に設けた物干ポールまたは物干ロープに引き掛けて吊り下げたときに、洗濯物が風であおられても、ハンガーが物干ポールまたは物干ロープから外れて飛ばされることのないように、ハンガーを物干ポールまたは物干ロープに対し係止せしめる係止装置付きの物干用のハンガーに関する。
【０００２】
【従来の技術】
洗濯物を懸架したハンガーを物干ポールに引き掛けたとき、そのハンガーが物干ポールに係着した状態に対し動かないように係止させる手段としては、例えば特許第２９４９０６号の公報にある手段がある。
【０００３】
この手段は、図１に示すように、ハンガーＡの主体部ａの頂部に設けたフック部１に、上下に並列する二本の腕杆２０・２１が一端側において連結し他端側において上下に開放する略横向きのＶ字形をなす形状に形成したアーム２を、それのかなめとなる二本の腕杆２０・２１の閉じ合わされた側に設ける連結軸３により、上下に回動するように連結して、そのアーム２が、常態において、自重により、図２にあるようにそのフック部１の正面視において、上位側の腕杆２０がフック部１の内周側の空間を横切り下位側の腕杆２１がフック部１に沿う下向きのＶ字形をなす姿勢を保持するようにしておき、このハンガーＡのフック部１を物干ポールＰに掛けることで、物干ポールＰが図２において鎖線に示しているように、Ｖ字形のアーム２の内腔に嵌入して、そのアーム２のがハンガーＡおよびそれに懸架した洗濯物の重量により、上位側の腕杆２０を押し上げるよう、連結軸３中心に図において時計回りに回動し、それにより、図３にあるように、下位側の腕杆２１と上位側の腕杆２０とで抱き込んだ物干ポールＰを、アーム２を成形している合成樹脂材または金属材が具備する弾性により、フック部１の内周面側に向けて押し出し、その物干ポールＰをフック部１の内周面に圧接させて、ハンガーＡを物干ポールＰに対し、それの長手方向に動かないよう係着させる手段である。
【０００４】
また、ハンガーＡを物干ロープＲに対して係止せしめる手段としては、物干ロープＲを図４にあるように、ハンガーＡのフック部１を通す目穴ｒを具備する形態のものに作っておき、そこに、フック部１０を通して吊り下げることで、この目穴ｒにより物干ロープＲに対しそれの長手方向に動かないよう係止する手段が知られている。
【０００５】
【発明が解決しようとする課題】
洗濯物を掛けたハンガーを、物干ポールまたは物干ロープに引き掛けて吊り下げたときに、洗濯物が風であおられても飛ばされることのないように、ハンガーを物干ポールまたは物干ロープに係止せしめる手段は、従前のものにあっては、ハンガーのフック部を物干ポールに対し係止せしめる手段と、物干ロープに係止せしめる手段とが、それぞれ別で、物干ポールと物干ロープとの両方を使う場合は、物干ポール用の係止手段を具備するハンガーと物干ロープ用の係止手段を具備するハンガーとを用意しなければならず、また、物干ポールか物干ロープかの一方を使う場合にも、適応するハンガーを用意しなければならない厄介な問題がある。
【０００６】
本発明は、この問題を解消せしめるためになされたものであって、ハンガーのフック部に、物干ポールに対しての係着と、物干ロープに対しての係着とが、随時、所望に選択して行える係止手段を装備せしめることを目的とするものである。
【０００７】
【課題を解決するための手段】
そして、本発明においては、上述の目的を達成するための手段として、請求項１に記載したように、ハンガーＡの主体部ａの頂部から立ち上がるフック部１の上周縁部の左右の中間部位に、そのフック部１の内周面に連続して外周側に突出するよう縊れ込む縊れ部１０を形設し、フック部１の内周側には、正面視において、そのフック部１により囲い込まれる内周側の空間を左右に仕切る上下方向の線状乃至杆状のアーム２を、弾性を具備する素材により成形して配位して、そのアーム２の上端側を正面視において、フック部１に設けた縊れ部１０の内周側の空間と略ラップする位置に臨ませ、かつ、そのアーム２の上下の中間部位には、通常の物干ポールＰの外周面に対応する弧状の湾曲部ｗを形成し、その湾曲部ｗの内周面とフック部１の内周面との間隔寸法が、常態において通常の物干ポールＰの外径寸法よりも少し狭くなり、アーム２の先端部と縊れ部１０の内周面ｙとの間隔寸法が常態において通常の物干ロープＲの外径寸法よりも少し狭くなるように設定して、アーム２の下端側をフック部１に固定連結することを特徴とする物干ポールおよび物干紐との係止装置付きの物干用のハンガーを提起するものである。
【０００８】
また、これに併せて、請求項２に記載したように、ハンガーＡのフック部１を、弾性を具備する樹脂材により成形し、アーム２を、そのフック部１を成形する樹脂材により一体に連続させて成形することを特徴とする請求項１記載の係止装置付きの物干用のハンガー、
および、請求項３に記載したように、ハンガーＡのフック部１を、弾性を具備する金属材の線材の屈曲成形により成形し、その線材のフック部１の遊端側１ａの端部を延長し、遊端部１ａから上方に折り返すよう屈曲せしめてアーム２を成形することを特徴とする請求項１記載の係止装置付きの物干用のハンガー、
および請求項４に記載したように、アーム２の上端側を、フック部１の上周縁側に上方に突出するよう形設した縊れ部１０を跨ぐループ状に形成することを特徴とする請求項１または請求項２または請求項３に記載に係止装置付きの物干用のハンガー、を提起するものである。
【０００９】
【発明の実施の形態】
次に実施の態様を説明する。
本発明手段による係止装置付きの物干用のハンガーＡは、それのハンガー自体の基本的な形態については、洗濯した衣服類を懸架する主体部ａと、下向きの彎曲するかぎ状に成形して前記主体部ａの頂部から立ち上がるように設けるフック部１とにより、通常のハンガーと同様に形成する。
【００１０】
このとき、それの主体部ａは、図５に示しているように、通常の衣服を掛けるハンガーの主体部と同様の形状に作ってよく、また、靴下等の小物の洗濯物を吊り下げる多数のクリップ付きのものとするなど適宜の形状・構造のものに形成してよい。
【００１１】
また、ハンガーＡの主体部ａの頂部に、そこから立ち上がるように設けるフック部１にあっては、下向きの弧状に彎曲するかぎ状に成形すること、および、このフック部１を主体部ａとは別体に形成してそれの基端側を主体部ａの頂部に接続することで、主体部ａの頂部から立ち上がるようにその頂部に装設するか、主体部ａを成形する素材により主体部ａと一体に連続させた形態のものとして装設するなど、従前の通常のハンガーのフック部と同様に形成してよい。
【００１２】
そして、このハンガーＡの主体部ａおよびフック部１の成形は、図５に示している実施例のように、鋼線等の針金状の金属線材の屈曲成形により行うか、図９および図１１に示している実施例の如く、プラスチック材からの成型により行なうなど、従前のハンガーと同様に適宜の素材を用いて成形してよい。
【００１３】
しかして、このように形成するハンガーＡには、それの主体部ａの頂部から立ち上がるフック部１の上周縁部の左右の中間部位に、そのフック部１の内周面に連続して外周側に突出するように縊れ込む縊れ部１０を形設する。
【００１４】
そして、このフック部１の内周側には、正面視において、そのフック部１により囲い込まれる内周側の空間を、左右に仕切る上下方向の線状ないし杆状のアーム２を、弾性を具備する素材により成形して配位し、そのアーム２の下端側を、フック部１に連結してフック部１に対し固定支持せしめ、このアーム２の遊端となる上端側を、正面視において、前述のフック部１に設けた縊れ部１０の、内周側の空間と略ラップする位置に臨ませる。
【００１５】
このとき、このアーム２の下端側とフック部１との連結は、図５にあるよう、フック部１の遊端部１ａに連結して固定支持させる場合、および図１１にある実施例のように、フック部１の基端部１ｂの側に連結して固定支持させる場合など、フック部１の遊端側または基端側の何れかを適宜に選択して行ってよい。
【００１６】
そして、このアーム２の長手方向の中間部位には、通常の物干ポールＰの外周面を嵌入させる弧状の湾曲部ｗを形成する。この湾曲部ｗは、それの内周面の曲率を、図７にあるよう物干ポールＰの外周面の曲率よりも浅くして、物干ポールＰが湾曲部ｗ内に嵌り込むことがないようにし、さらに、この湾曲部ｗ内に嵌入する物干ポールＰを、アーム２の弾性により湾曲部ｗから押し出していくよう、正面視において、横向きのＶ字形に近い形状の湾曲部に形成することが望ましい。
【００１７】
そして、このアーム２は、それの下端部をフック部１に連結してフック部１に対し固定支持せしめるが、そのとき、アーム２の湾曲部ｗの内周面と、これに対向するフック部１の内周面ｙとの間隔寸法Ｄが、図７に示しているように、通常の物干ポールＰの外径寸法ｄよりも少し狭い寸法になるように設定して、その状態にアーム２をフック部１に対し固定支持せしめる。
【００１８】
このアーム２のフック部１に対する固定支持は、フック部１とアーム２とを同じ合成樹脂材で一体に連結する成型品に成形する場合は、前述した条件に設定して成形する。
【００１９】
また、この条件設定は、アーム２の下端側を、図１１に示している実施例のように、フック部１の基端側１ｂに連結して固定支持せしめる場合も同様であり、同様の条件に設定して固定支持せしめる。
【００２０】
そして、これにより、ハンガーＡのフック部１を物干ポールＰに引き掛けたときに、その物干ポールＰがアーム２の湾曲部の内周面ｗとフック部１の内周面との間に嵌入してくることで、アーム２をそれが具備する弾性により撓曲させ、このときのアーム２の復元力により、物干ポールＰをフック部１の内周面に向け押し出して、その内周面に圧接させてフック部１に係着させるようにする。
【００２１】
これにより、また、アーム２は、それの上端側と縊れ部１０の内周面との関係にあっては、そのアーム２の上端側で、前述のアーム２に形成した湾曲部ｗの内周面に連続する側の内壁面ｍと、これに対向する縊れ部１０の内周面ｎとの間隔寸法Ｄ’を、通常の物干ロープＲの外径寸法ｒよりも少し狭くなるように設定して、その状態でアーム２の下端側をフック部１に対し固定支持せしめる。
【００２２】
ハンガーＡのフック部１を物干ロープＲに引き掛けたときは、ハンガーＡがそれに懸架した洗濯物の重量で下降することにより物干ロープＲがアーム２の内周面にガイドされてフック部１に対し上昇して、フック部１の上周縁部の左右の中間部位に形設してある縊れ部１０の内腔に嵌入していき、このときアーム２を、そのアーム２が具備する弾性により撓曲させ、その復元力により縊れ部１０内に嵌入した物干ロープＲを、図８にあるように縊れ部１０の内周面に圧着して、その物干ロープＲがフック部１に係着した状態とする。
【００２３】
アーム２は、それの遊端部となる上端側を、図９にあるように、前後の巾方向に拡巾させた形状に形成して、それのフック部１の上周縁部に重合する部位に窓穴状の開口２ａを形設しておいて、アーム２がフック部１の遊端部１ａと連結する下端側を支点として左右方向に回動したときに、このアーム２の上端側が、フック部１の上周縁側を上方から跨いだ状態で左右に動くようにする場合がある。
【００２４】
また、アーム２を、鋼線等の弾性を具備する金属線材により成形する場合にあっても、図１０にあるように、ハンガーＡの主体部ａの頂部に設けるフック部１を、アーム２を成形する金属線材を共用して形成し、そのときフック部１の遊端部１ａを成形した金属線材の端部を延長して遊端部１ａの下端から上方に折り返すように屈曲させることで、アーム２の下端側がフック部１に対し一体に連続して固定支持されるようにしてよい。
【００２５】
そして、この場合においても、アーム２の遊端部となる上端側は、図１０にあるように、フック部１の上周縁側の上方に延出させた後に、ヘアーピン状に下方に折り返して、それにより形成されるループ部がフック部１の上周縁側を上方から跨いだ状態となるようにしてよく、これにより、物干ロープＲを、フック部１の上周縁側に形設した縊れ部１０の内周面とアーム２の上端部とで挟持するようにしてフック部１に対し係着させる際の、ロープＲの係止作用を確実なものとする。
【００２６】
【発明の効果】
以上説明したように、本発明による係止装置付きの物干用のハンガーＡは、物干ポールＰに引き掛けたときは、フック部１内に嵌入してきた物干ポールＰによりアーム２が弾性的に撓曲し、そのアーム２の復元力により物干ポールＰをフック部１の内周面に向けて押し出し、そのフック部１の内周面に向けて押し出し、そのフック部１の内周面に圧接していくことで、フック部１に係着させるようになり、また、物干ロープＲに引き掛けたときは、物干ロープＲがアーム２を撓曲させながらそのアーム２にガイドされて、フック部１の上周縁側に形設した縊れ部１０内に嵌入することで、アーム２の上端部によりその縊れ部１０の内周面に押し付けられてフック部１に対し係着した状態となることから、物干ポールＰおよび物干ロープＲの何れに引き掛けたときにおいても、ハンガーＡが風で飛ばされないように係止し得るようになる。
【図面の簡単な説明】
【図１】従前の物干ポールに対する係止装置付きのハンガーの要部の正面図である。
【図２】同上のハンガーを物干ポールに引き掛けていくときの、係止手段の作用の説明図である。
【図３】同上のハンガーの物干ポールに対する係止作用の説明図である。
【図４】従前のハンガーに対する係止手段を具備する物干ロープの正面図である。
【図５】本発明手段を実施せる物干用のハンガーの斜視図である。
【図６】同上のハンガーの別の実施例の斜視図である。
【図７】同上のハンガーのフック部の斜視図である。
【図８】同上のハンガーのフック部の、物干ロープに引き掛けた状態時の作用の説明図である。
【図９】同上のハンガーのフック部の別の実施例の斜視図である。
【図１０】同上のハンガーのフック部のさらに別の実施例の斜視図である。
【図１１】同上のハンガーのさらに異なる実施例のフック部の斜視図である。
【図１２】同上のハンガーの、物干ロープに引き掛けた状態時の説明図である。
【符号の説明】
Ａ…ハンガー、ａ…主体部、Ｄ・Ｄ’…間隔寸法、ｄ…外径寸法、ｍ…内壁面、ｎ…縊れ部の内周面、Ｐ…物干ポール、Ｒ…物干ロープ、ｒ…目穴、ｗ…湾曲部、ｙ…内周面、１…フック部、１ａ…遊端部、１ｂ…基端部、１０…縊れ部、２…アーム、２ａ…開口、２０・２１…腕杆、３…連結軸。
【図１】
2004113589.tif 000003
【図２】
2004113589.tif 000004
【図３】
2004113589.tif 000005
【図４】
2004113589.tif 000006
【図５】
2004113589.tif 000007
【図６】
2004113589.tif 000008
【図７】
2004113589.tif 000009
【図８】
2004113589.tif 000010
【図９】
2004113589.tif 000011
【図１０】
2004113589.tif 000012
【図１１】
2004113589.tif 000013
【図１２】
2004113589.tif 000014